(57)【要約】【課題】サービスモードへの移行を容易化する。【解決手段】特定キーの入力を受けてサービスモードへ移行可能な表示装置であって、キーの登録対象となるサービスモードを特定するサービスモード特定手段と、リモートコントロール装置に設けられた上記特定キーとは異なるキーの入力を受け付けるキー入力受付手段と、上記キー入力受付手段により入力を受け付けられたキーを、上記表示装置の動作モードを上記特定されたサービスモードへ移行させるためのキーとして登録するキー登録手段と、を備える構成とした。【選択図】図２
2012100075.tif 000002
【特許請求の範囲】
【請求項１】
特定キーの入力を受けてサービスモードへ移行可能な表示装置であって、
キーの登録対象となるサービスモードを特定するサービスモード特定手段と、
リモートコントロール装置に設けられた上記特定キーとは異なるキーの入力を受け付けるキー入力受付手段と、
上記キー入力受付手段により入力を受け付けられたキーを、上記表示装置の動作モードを上記特定されたサービスモードへ移行させるためのキーとして登録するキー登録手段と、を備えることを特徴とする表示装置。
【請求項２】
上記表示装置の本体の所定位置に設けられたメニューキーに対する操作に応じて、当該表示装置の画面にキー登録用のユーザインターフェイス（ＵＩ）画像を表示するＵＩ表示手段を備え、上記サービスモード特定手段は、当該ＵＩ画像に表示された１以上のサービスモードの中からリモートコントロール装置によるサービスモードの選択指示に応じてサービスモードを特定することを特徴とする請求項１に記載の表示装置。
【請求項３】
上記キー登録手段は、上記キーの登録情報を表示装置が搭載する揮発性メモリに記憶することを特徴とする請求項１または請求項２に記載の表示装置。
【請求項４】
特定キーの入力を受けてサービスモードへ移行可能なテレビジョンであって、
上記テレビジョンの本体の所定位置に設けられたメニューキーに対する所定秒以上の長押しを検知した場合に、当該テレビジョンの画面にキー登録用のユーザインターフェイス（ＵＩ）画像を表示するＵＩ表示手段と、
上記ＵＩ画像に表示された複数のサービスモードの中からリモートコントロール装置によるサービスモードの選択指示に応じてキーの登録対象となるサービスモードを特定するサービスモード特定手段と、
上記ＵＩ画像上において登録対象のサービスモードが特定されている状況で、リモートコントロール装置に設けられた上記特定キーとは異なるキーの入力を受け付けるキー入力受付手段と、
上記キー入力受付手段により入力を受け付けられたキーを、上記テレビジョンの動作モードを上記特定されたサービスモードへ移行させるためのキーとして当該テレビジョンが搭載する揮発性メモリに登録するキー登録手段と、
上記特定キーの入力を受け付けたとき又は上記揮発性メモリにキーが登録されている状況で当該登録されているキーの入力を受け付けたときに、上記テレビジョンの動作モードを上記特定されたサービスモードへ移行させるモード移行手段と、を備えることを特徴とするテレビジョン。
【発明の詳細な説明】
【技術分野】
【０００１】
本発明は、表示装置およびテレビジョンに関する。
【背景技術】
【０００２】
テレビジョン等、表示装置の製品においては、画質調整、ソフトウェアの更新や確認、機能設定等を行なうためのモード（サービスモードと呼ぶ。）が設けられている。通常、製品のメンテナンスを行なうサービスマンが、製品の動作モードをサービスモードへ移行させるための専用のリモートコントロール（以下、リモコンと呼ぶ。）キーを搭載したリモコン装置（以下、専用リモコン装置と呼ぶ。）を用いて、ユーザ所有のテレビジョンをサービスモードへ移行させ、製品（テレビジョン）に対する所定のメンテナンスを行なっていた。また、リモコン装置に関する技術として特許文献１〜３が知られている。
【先行技術文献】
【特許文献】
【０００３】
【特許文献１】特開２００５‐２９５００５号公報
【特許文献２】特許第３６２５６４７号
【特許文献３】特開平６‐１１３３６５号公報
【発明の概要】
【発明が解決しようとする課題】
【０００４】
サービスマンは、テレビジョンの動作モードをサービスモードへ移行させるには、上述した専用リモコン装置を持ち歩かなければならないため面倒であった。また、専用リモコン装置を用いる方法以外にも、複数のリモコンキーの組合せからなるパスワード（暗号）の入力によりサービスモードへ移行させる方法もあるが（特許文献２）、このようなパスワードを忘れた場合にはテレビジョンをサービスモードに移行させることができない。
【０００５】
本発明は上記課題を解決するためになされたものであり、専用のリモコン装置やパスワード入力等を必要とすることなく、製品のモードをサービスモードへ移行させられる状況を容易に作り出すことが可能な表示装置およびテレビジョンを提供する。
【課題を解決するための手段】
【０００６】
本発明の態様の一つは、特定キーの入力を受けてサービスモードへ移行可能な表示装置であって、キーの登録対象となるサービスモードを特定するサービスモード特定手段と、リモートコントロール装置に設けられた上記特定キーとは異なるキーの入力を受け付けるキー入力受付手段と、上記キー入力受付手段により入力を受け付けられたキーを、上記表示装置の動作モードを上記特定されたサービスモードへ移行させるためのキーとして登録するキー登録手段とを備える構成としてある。
【０００７】
当該構成によれば、リモコン装置に設けられた上記特定キーとは異なるキーを、表示装置の動作モードを上記特定されたサービスモードへ移行させるためのキーとして登録する。従って、以降、上記特定キーを搭載した専用リモコン装置が無い状況においても、ユーザが通常有するリモコン装置における当該登録したキーの入力をすることで、表示装置の動作モードをサービスモードとすることができる。また当該構成によれば、従来のような複雑なパスワードを入力する必要もない。
【図面の簡単な説明】
【０００８】
【図１】テレビジョンの概略構成を示すブロック図である。
【図２】リモコンキー登録処理を示すフローチャートである。
【図３】テレビジョンの画面に表示されるＵＩ画像を例示する図である。
【図４】サービスモードへの移行処理を示すフローチャートである。
【発明を実施するための形態】
【０００９】
本発明の実施形態としては、上記表示装置の本体の所定位置に設けられたメニューキーに対する操作に応じて、当該表示装置の画面にキー登録用のユーザインターフェイス（ＵＩ）画像を表示するＵＩ表示手段を備え、上記サービスモード特定手段は、当該ＵＩ画像に表示された１以上のサービスモードの中からリモートコントロール装置によるサービスモードの選択指示に応じてサービスモードを特定する構成としてもよい。
また本発明の実施形態としては、上記キー登録手段は、上記キーの登録情報を表示装置が搭載する揮発性メモリに記憶する構成としてもよい。
また本発明の実施形態としては、特定キーの入力を受けてサービスモードへ移行可能なテレビジョンであって、上記テレビジョンの本体の所定位置に設けられたメニューキーに対する所定秒以上の長押しを検知した場合に、当該テレビジョンの画面にキー登録用のＵＩ画像を表示するＵＩ表示手段と、上記ＵＩ画像に表示された複数のサービスモードの中からリモートコントロール装置によるサービスモードの選択指示に応じてキーの登録対象となるサービスモードを特定するサービスモード特定手段と、上記ＵＩ画像上において登録対象のサービスモードが特定されている状況で、リモートコントロール装置に設けられた上記特定キーとは異なるキーの入力を受け付けるキー入力受付手段と、上記キー入力受付手段により入力を受け付けられたキーを、上記テレビジョンの動作モードを上記特定されたサービスモードへ移行させるためのキーとして当該テレビジョンが搭載する揮発性メモリに登録するキー登録手段と、上記特定キーの入力を受け付けたとき又は上記揮発性メモリにキーが登録されている状況で当該登録されているキーの入力を受け付けたときに、上記テレビジョンの動作モードを上記特定されたサービスモードへ移行させるモード移行手段と、を備える構成としてもよい。
さらには、上記表示装置やテレビジョンが実行する処理で構成される方法の発明や、これら処理をコンピュータ（表示装置やテレビジョンが搭載するコンピュータ）に実行させるプログラムの発明も、把握することができる。
【００１０】
以下、図面を参照して本実施形態を説明する。
図１は、本実施形態にかかるテレビジョン１０の概略構成をブロック図により示している。テレビジョン１０は、表示装置の一例に該当する。なお表示装置は、放送の受信機能を持たないものであってもよい。テレビジョン１０は、概略、受信回路（チューナ）１１、信号処理回路１２、マイクロコンピュータ１３、液晶パネル１５、リモコンインターフェイス（リモコンＩ／Ｆ）１６、タイミングコントローラ（ＴＣＯＮ）１７、フレームメモリ１８、バックライト１９、バックライト駆動回路１４等を含んで構成される。
【００１１】
バックライト１９は、液晶パネル１５の背面側に配置される。バックライト１９は、例えば複数の発光素子を液晶パネル１５の画面に対応させて平面状に配置し、各素子を発光させることにより液晶パネル１５を背面側から照射する。バックライト駆動回路１４は、液晶パネル１５の画面を複数の領域に分割した領域毎にバックライト１９の発光輝度を調整（いわゆるローカルディミング）することができる。チューナ１１は、アンテナ１１ａを介して放送信号を受信する。チューナ１１は、放送信号を中間周波信号に周波数変換するとともに、アナログ信号としての中間周波信号をデジタル信号に変換し、当該デジタル信号からトランスポートストリーム（ＴＳ）を抽出する。チューナ１１は、ＴＳを信号処理回路１２に出力する。信号処理回路１２は、デスクランブル回路、デマルチプレックス回路、デコード回路、画像処理回路等を備え、デスクランブル回路によってＴＳのスクランブルを解除する。スクランブルが解除されたＴＳは、複数のトランスポートパケットからなり、各トランスポートパケットには映像信号や音声信号や各種データが格納されている。デマルチプレックス回路は、選局対象のチャンネルにかかる映像信号および音声信号をＴＳから抽出する。
【００１２】
ＴＳから抽出された映像信号（および音声信号）は、例えばＭＰＥＧ規格に従って符号化（エンコード）された状態であり、デコード回路は映像信号（および音声信号）をＭＰＥＧ規格に従って復号化（デコード）する。画像処理回路は、デコードされた映像信号に対して、液晶パネル１５の画素数に応じたスケーリング処理、色補正処理、エッジ強調処理などの各種画像処理を実行し、１画面分の画像を表した画像データを生成する。信号処理回路１２は、生成した画像データをＴＣＯＮ１７に出力する。信号処理回路１２は、ＯＳＤ（オンスクリーンディスプレイ）回路を有する。ＯＳＤ回路は、マイクロコンピュータ１３から入力される制御信号や文字情報等のデータに基づいて各種表示に対応するＯＳＤ信号（画像データ）を生成して、ＯＳＤ信号を映像信号に重畳したりＯＳＤ信号単独でＴＣＯＮ１７に出力することが可能である。
【００１３】
ＴＣＯＮ１７は、信号処理回路１２から入力した画像データをフレームメモリ１８に一時的に保存しつつ、当該保存した画像データを所定のタイミングで液晶パネル１５に出力することにより、画素の配列により構成された液晶パネル１５の各画素を駆動して液晶パネル１５に画像データに基づく画像を表示させる。リモコンＩ／Ｆ１６は、テレビジョン１０外部のリモコン装置２０から発せられる、操作者の操作に基づく各種指示信号を受け付ける。マイクロコンピュータ１３は、リモコンＩ／Ｆ１６を介して入力した指示信号が表すキーコードに応じた制御を行なう。図示は省略しているが、テレビジョン１０は、上記デコードされた音声信号に基づく音声出力を行うための音声信号回路やスピーカ、テレビジョン１０の各部に駆動用電源を供給するための電源回路など、ＴＶとしての一般的な各構成を備える。むろんテレビジョン１０が搭載するディスプレイは、液晶パネルである必要はなく、プラズディスプレイであってもよいし有機ＥＬディスプレイ等であってもよい。
【００１４】
図２は、テレビジョン１０が実行するリモコンキー登録処理を示すフローチャートである。図３は、リモコンキー登録処理の各ステップにおいてテレビジョン１０の画面（液晶パネル１５）に表示されるＵＩ画像を例示している。ＵＩ画像の表示は、ＯＳＤ回路の機能により実現される。
ステップＳ１００では、マイクロコンピュータ１３は、テレビジョン１０本体に設けられたメニューキー２１（図１参照）に対する所定秒（例えば５秒）以上の長押しがあったか否か判定し、当該長押しを検知した場合にＳ１１０以降に進み、当該長押しを検知しない間はステップＳ１００の判定を繰り返す。メニューキー２１は、テレビジョン１０本体の所定位置に設けられたキーであり、基本的にはサービスマンが長押しすることが想定されている。
【００１５】
ステップＳ１１０では、リモコンキー登録モード用のＵＩ画像３０（図３Ａ参照）が、液晶パネル１５に表示される。ステップＳ１００，Ｓ１１０を実行する点で、テレビジョン１０はＵＩ表示手段を備えていると言える。
ステップＳ１２０では、マイクロコンピュータ１３は、リモコンＩ／Ｆ１６を介して入力されるリモコン装置２０からの選択指示信号に応じて、ＵＩ画像３０に表示した複数のサービスモードの中からリモコンキーの登録対象となるサービスモードを特定する。図３Ａでは、リモコンキーの登録対象とすることができるサービスモードが複数種類（サービスモード１およびサービスモード２）表示されており、そのうち“サービスモード１”が選択された様子を例示している。リモコン装置２０の操作者は、リモコン装置２０に設けられたカーソルキーを操作することで、サービスモード１を選択したり、サービスモード２を選択（図３Ｂ参照）したりすることができる。リモコン装置２０の操作者は、カーソルキーによって一つのサービスモードを選択した状態でリモコン装置２０に設けられたＯＫキーを操作することで、サービスモードの選択を確定することができる。マイクロコンピュータ１３は、このようなサービスモードの選択と確定とを受けて、リモコンキーの登録対象となるサービスモードを特定する。ステップＳ１２０を実行する点で、テレビジョン１０はサービスモード特定手段を備えていると言える。
【００１６】
ステップＳ１３０では、ＵＩ画像３１（図３Ｃ参照）が液晶パネル１５に表示される。ＵＩ画像３１では、ステップＳ１２０で特定されたサービスモード（例えば、サービスモード１）が表示されるとともに、操作者に対して、割り当てる（登録する）リモコンキーの入力を促す催促メッセージが表示される。例えば「割り当てるキーを押して下さい。」等の催促メッセージが表示される。催促メッセージを受けて、操作者は、リモコン装置２０に設けられたリモコンキーのうち任意に選択したリモコンキーを入力する（押す）。ここで説明するリモコン装置２０は、テレビジョン１０を所有するユーザが通常有するリモコン装置２０であり、上述した“専用リモコン装置”ではないことを前提としている。そのため、リモコン装置２０には、テレビジョン１０の動作モードをサービスモードへ移行させるための専用のリモコンキー（特定キー）は搭載されていない。操作者は、リモコン装置２０に搭載されているリモコンキーであって、通常はサービスモードでは使用されないキー（例えば、キーコード「０ｘＡＡ」のホールドキーや、キーコード「０ｘＡ９」のリビールキー等）を、催促メッセージに応じて押す。
【００１７】
ステップＳ１４０では、マイクロコンピュータ１３は、リモコンＩ／Ｆ１６を介して入力されるリモコン装置２０からの指示信号が表すキーコードに応じて、どのリモコンキーが入力されたかを特定する。ここでは、操作者はリモコン装置２０に搭載されたホールドキーを押したものする。そのため、マイクロコンピュータ１３にはホールドキーを表すキーコード「０ｘＡＡ」が入力され、マイクロコンピュータ１３はこれによりホールドキーが入力されたことを特定する。ステップＳ１３０，Ｓ１４０を実行する点で、テレビジョン１０はキー入力受付手段を備えていると言える。
【００１８】
ステップＳ１５０では、ＵＩ画像３２（図３Ｄ参照）が液晶パネル１５に表示される。ＵＩ画像３２では、ステップＳ１２０で特定されたサービスモード（例えば、サービスモード１）が表示されるとともに、ステップＳ１４０で特定されたリモコンキー（例えば、ホールドキー）を割り当てる（登録する）ことの是非を確認する確認メッセージが表示される。例えば、「ホールドキーを割り当てますか？」等の確認メッセージが表示される。確認メッセージを受けて、操作者は、リモコン装置２０に設けられたＯＫキーを操作することで上記割り当てを許可し、一方、割り当てるリモコンキーを変更したい場合はリモコン装置２０に設けられたバック（戻る）キーを操作する。
ステップＳ１６０では、マイクロコンピュータ１３は確認メッセージ後、ＯＫキーの入力を受けてステップＳ１７０へ進み、一方、バックキーの入力を受けた場合にはステップＳ１３０に戻る。
【００１９】
ステップＳ１７０では、マイクロコンピュータ１３は、液晶パネル１５にＵＩ画面３３（図３Ｅ参照）を表示させつつ、ステップＳ１２０で特定されたサービスモード（例えば、サービスモード１）とステップＳ１４０で特定されたリモコンキーのキーコード（例えば、ホールドキーのキーコード「０ｘＡＡ」）とを対応付け、この対応関係（キー登録情報）をＲＡＭ１３ａに記憶する。ＵＩ画像３３では、ステップＳ１２０で特定されたサービスモードが表示されるとともに、ステップＳ１４０で特定されたリモコンキーが割り当てられた（登録された）ことを報告する完了メッセージが表示される。例えば、「ホールドキーに割り当てられました。」等の完了メッセージが表示される。つまり、この例で言えば、テレビジョン１０の動作モードをサービスモード１へ移行させるためのリモコンキーとして、本来はサービスモードの移行には使用されないホールドキーが登録されたことになる。ＲＡＭ１３ａは、マイクロコンピュータ１３が搭載する揮発性メモリである。ステップＳ１７０を実行する点で、テレビジョン１０はキー登録手段を備えていると言える。以上により、リモコンキー登録処理が終了する。むろん、上記のようにサービスモードが複数ある場合には、それぞれのサービスモード毎に、異なるリモコンキーを割り当てて登録することができる。
【００２０】
図４は、リモコンキー登録処理後におけるサービスモードへの移行処理を示すフローチャートである。当該移行処理を実行する点で、テレビジョン１０はモード移行手段を備えていると言える。
マイクロコンピュータ１３は、リモコンＩ／Ｆ１６を介しての外部のリモコン装置からのリモコンキー入力の割り込みを待ち（ステップＳ２００）、割り込みがあった場合には、ステップＳ２００で入力されたリモコンキーのキーコードが、テレビジョン１０の動作モードをサービスモードへ移行させるための専用のリモコンキー（特定キー）を示すものであるか否か判定する（ステップＳ２１０）。例えば、“専用リモコン装置”に設けられた、テレビジョン１０の動作モードをサービスモード１へ移行させるための専用のリモコンキーのキーコードが「０ｘＦＦ」であり、テレビジョン１０の動作モードをサービスモード２へ移行させるための専用のリモコンキーのキーコードが「０ｘＦＥ」であると予め決められていた場合、マイクロコンピュータ１３はステップＳ２００で入力されたキーコードが「０ｘＦＦ」か「０ｘＦＥ」のいずれかであればステップＳ２１０で“Ｙｅｓ”と判定し、ステップＳ２３０へ進む。
【００２１】
一方、ステップＳ２００で入力されたリモコンキーのキーコードが、テレビジョン１０の動作モードをサービスモードへ移行させるための専用のリモコンキーを示すものでない場合（ステップＳ２１０において“Ｎｏ”）、ステップＳ２２０に進む。ステップＳ２２０では、マイクロコンピュータ１３は、そのときＲＡＭ１３ａに記憶されているキー登録情報を参照し、ステップＳ２００で入力されたリモコンキーのキーコードが、上記リモコンキー登録処理においてサービスモードに対応付けられてＲＡＭ１３ａに登録されたキーコード（例えば、ホールドキーのキーコード「０ｘＡＡ」等）のいずれかと等しいか否か判定し、いずれかと等しい場合（ステップＳ２２０において“Ｙｅｓ”）にステップＳ２３０へ進む。ステップＳ２３０では、マイクロコンピュータ１３は、ステップＳ２００で入力されたリモコンキーのキーコードが対応するサービスモードへと、テレビジョン１０の動作モードを移行させる。一方、ステップＳ２００で入力されたリモコンキーのキーコードが、上記リモコンキー登録処理において登録されたキーコードのいずれとも一致しない場合（ステップＳ２２０において“Ｎｏ”）、サービスモードに移行することなくステップＳ２００へ戻る。
【００２２】
上述したようにキー登録情報は、テレビジョン１０への電源供給が絶たれた場合には情報が残らない揮発性メモリに記憶される。そのため、キー登録情報を参照してテレビジョン１０がサービスモードへ移行できるのは、キー登録情報がデータとして存在している期間、つまりそのキー登録情報をＲＡＭ１３ａに記憶したリモコンキー登録処理が実行されてからテレビジョン１０への電源供給が絶たれる（ＡＣコードが抜かれる）までの間である。このような構成を採ることで、サービスマンが一時的にリモコン装置２０の任意のリモコンキーをサービスモード移行用に登録し、テレビジョン１０に対する所定のメンテナンスを実行した後、ＡＣコードを抜けば、その後、ユーザがリモコン装置２０を操作したときにユーザの意に反してテレビジョン１０をサービスモードに移行させてしまうことがなくなる。
【００２３】
このように本実施形態によれば、テレビジョン１０は、リモコン装置２０からの指示に従ってＵＩ画像３０〜３３を表示しながらリモコンキー登録処理を実行することで、操作者が任意に選択したリモコン装置２０上の既存のリモコンキーをサービスモードへ移行するためのキーとして登録する。そのため、テレビジョン１０のメンテナンスをしようとする際、上述の“専用リモコン装置”が無くても、また複雑なパスワード入力をしなくても、容易にテレビジョン１０の動作モードをサービスモードへ移行させることができる。
【符号の説明】
【００２４】
１０…テレビジョン、１３…マイクロコンピュータ、１３ａ…ＲＡＭ、１５…液晶パネル、１６…リモコンＩ／Ｆ、２０…リモコン装置、２１…メニューキー、３０，３１，３２，３３…ＵＩ画像
【図１】
2012100075.tif 000003
【図２】
2012100075.tif 000004
【図３】
2012100075.tif 000005
【図４】
2012100075.tif 000006